(57)【特許請求の範囲】
【請求項１】
無線で接続可能な周辺装置から携帯通信装置を呼び出すための呼出方法であって、
前記携帯通信装置を呼び出すための操作が行われた前記周辺装置から、所在をユーザに知らせる報知動作を指示するための呼出信号を送信するステップと、
前記呼出信号を受信した前記携帯通信装置で前記報知動作を開始するステップと、
前記報知動作を開始した旨を通知するための応答信号を前記携帯通信装置から前記周辺装置に送信するステップと、
前記応答信号を受信した前記周辺装置で呼出中である旨をユーザに通知するステップと、
前記携帯通信装置に対して所在を確認する操作が行われると前記報知動作を終了し、所在の確認が行われた旨を通知するための確認信号を前記携帯通信装置から前記周辺装置に送信するステップと、
前記確認信号を受信した前記周辺装置で呼出中である旨の通知を終了するステップを有する呼出方法。
【請求項２】
前記呼出信号は、予め定められた着信モードにしたがった前記報知動作を前記携帯通信装置にさせるための制御信号であり、
前記報知動作は前記着信モードに定められた動作である、請求項１記載の呼出方法。
【請求項３】
前記着信モードに、着信音の鳴動、バイブレータの振動、発光ダイオードの点灯、および液晶画面の表示の少なくとも１つの動作が予め定められた、請求項２記載の呼出方法。
【請求項４】
前記携帯通信装置を呼び出すための操作は、前記携帯通信装置に着信音を鳴動させるため、またはバイブレータを振動させるための操作であり、
前記呼出信号は、前記着信音の鳴動による報知動作、または前記バイブレータの振動による報知動作をさせるための制御信号であり、前記報知動作は前記着信音の鳴動、または前記バイブレータの振動である、請求項１記載の呼出方法。
【請求項５】
前記携帯通信装置を呼び出すための操作が行われたときに、前記携帯通信装置と前記周辺装置の間の通信チャネルが確立していなければ、前記周辺装置で、前記携帯通信装置の送出する無線電波をサーチし、前記携帯通信装置との間で前記通信チャネルの接続を確立した後に前記呼出信号を送信する、請求項１記載の呼出方法。
【請求項６】
前記呼出信号を受信した前記携帯通信装置で前記報知動作を開始するとき、移動体通信網からの着信を禁止し、
前記所在を確認する操作が行われた前記携帯通信装置で前記報知動作を終了するとき、前記移動体通信網からの着信の禁止を解除する、請求項１記載の呼出方法。
【請求項７】
携帯通信装置と無線で接続可能な周辺装置であって、
前記携帯通信装置との無線通信を制御する通信制御部と、
前記携帯通信装置を呼び出すための操作を行うためのスイッチと、
前記スイッチが操作されると、所在をユーザに知らせる報知動作を指示する呼出信号を、前記通信制御部を介して前記携帯通信装置に送信し、前記呼出信号を受信して報知動作を開始した前記携帯通信装置から応答信号を受信して、呼出中である旨をユーザに通知し、所在を確認する操作が行われて前記報知動作を終了した前記携帯通信装置から確認信号を受信して、前記呼出中である旨の通知を終了する中央制御部を有する周辺装置。
【請求項８】
周辺装置と無線で接続可能な携帯通信装置であって、
前記携帯通信装置を呼び出すための操作が行われた前記周辺装置から、所在をユーザに知らせる報知動作を指示する呼出信号を受信し、応答信号を報知動作開始時に前記周辺装置に対して送信し、所在の確認が行われた旨を通知する確認信号を前記報知動作終了時に送信する外部インタフェース制御部と、
移動体通信網との通信を制御しており、前記外部インタフェース制御部で前記呼出信号を受信すると前記移動体通信網からの着信を禁止し、所在を確認する操作が行われると前記着信の禁止を解除するメイン通信制御部と、
着信音の鳴動またはバイブレータの振動を制御しており、前記外部インタフェース制御部で前記呼出信号を受信すると前記報知動作を開始し、所在を確認する操作が行われると前記報知動作を終了する周辺機器制御部を有する携帯通信装置。
【発明の詳細な説明】
【０００１】
【発明の属する技術分野】
本発明は、携帯電話機や携帯情報端末等の携帯通信装置と接続されるハンズフリー装置等の周辺装置に関し、特に、携帯通信装置と無線によって接続可能な周辺装置に関する。
【０００２】
【従来の技術】
多くの携帯電話機はイヤホンマイク等を有するハンズフリー装置を接続すればハンズフリーで通話が可能なものとなっており、携帯電話機を直接手に持たずに通話ができるので利便性が高い。
【０００３】
一方、現在ではＢｌｕｅｔｏｏｔｈなど近距離無線通信の新たなインタフェースが規格化され、携帯電話機もこの無線インタフェースで周辺装置と接続することが有望視されており、多くの周辺機器が検討／開発されている。
【０００４】
そして、携帯電話機とハンズフリー装置をこのような無線インタフェースで接続することが検討されており、無線インタフェースを用いることで携帯電話機からハンズフリー装置までコードを伸ばす必要が無く、一層スマートに利用可能なハンズフリー装置の実現が期待されている。
【０００５】
それだけでなく、携帯電話機はそれ自体を操作するものではなく、それを母艦としてカバンの中に入れておき、無線インタフェースを用いた周辺装置だけを直接操作等することも考えられる。携帯電話機の周辺装置として考えられるものはハンズフリー装置の他、例えば、腕時計型の操作用装置などが考えられる。
【０００６】
【発明が解決しようとする課題】
携帯電話機等の携帯通信装置とハンズフリー装置等の周辺装置とが無線インタフェースで接続されるようになると、通常、操作等するのは周辺装置だけなので、携帯電話機の所在が判らなくなるなどの不都合が生じる可能性がある。
【０００７】
本発明の目的は、携帯電話機等の携帯通信装置と無線で接続可能であり、携帯通信装置がある場所を特定可能なハンズフリー装置等の周辺装置、およびそれと接続される携帯通信装置を提供することである。
【０００８】
【課題を解決するための手段】
上記目的を達成するために、本発明は、無線で接続可能な周辺装置から携帯通信装置を呼び出すための呼出方法であって、
前記携帯通信装置を呼び出すための操作が行われた前記周辺装置から、所在をユーザに知らせる報知動作を指示するための呼出信号を送信するステップと、
前記呼出信号を受信した前記携帯通信装置で前記報知動作を開始するステップと、
前記報知動作を開始した旨を通知するための応答信号を前記携帯通信装置から前記周辺装置に送信するステップと、
前記応答信号を受信した前記周辺装置で呼出中である旨をユーザに通知するステップと、
前記携帯通信装置に対して所在を確認する操作が行われると前記報知動作を終了し、所在の確認が行われた旨を通知するための確認信号を前記携帯通信装置から前記周辺装置に送信するステップと、
前記確認信号を受信した前記周辺装置で呼出中である旨の通知を終了するステップを有している。
【０００９】
本発明によれば、携帯通信装置の所在が判らなくなった場合などに、無線で接続された周辺装置を操作して携帯通信装置に呼び出しをかけると、無線インタフェースを介して携帯通信装置に呼出信号が通知され、携帯通信装置では着信音の鳴動、バイブレータの振動あるいは発光ダイオードの点灯などで所在をユーザに知らせるための報知動作を行う。また、報知動作で所在をユーザに報知している携帯通信装置に対して確認の操作が行われると、携帯通信装置の着信音の鳴動等が停止し、確認信号が周辺装置に通知される。
【００１０】
本発明の実施態様によれば、前記呼出信号は、予め定められた着信モードにしたがった前記報知動作を前記携帯通信装置にさせるための制御信号であり、
前記報知動作は前記着信モードに定められた動作である。
【００１１】
本実施態様によれば、ユーザの所望により設定された着信モードで報知動作が行われる。
【００１２】
本発明の実施態様によれば、前記着信モードに、着信音の鳴動、バイブレータの振動、発光ダイオードの点灯、および液晶画面の表示の少なくとも１つの動作が予め定められている。
【００１３】
本発明の実施態様によれば、前記携帯通信装置を呼び出すための操作は、前記携帯通信装置に着信音を鳴動させるため、またはバイブレータを振動させるための操作であり、
前記呼出信号は、前記着信音の鳴動による報知動作、または前記バイブレータの振動による報知動作をさせるための制御信号であり、
前記報知動作は前記着信音の鳴動、または前記バイブレータの振動である。
【００１４】
本実施態様によれば、報知動作は、着信音の鳴動またはバイブレータの振動の中でユーザが希望する動作で行われる。
【００１５】
本発明の実施態様によれば、前記携帯通信装置を呼び出すための操作が行われたときに、前記携帯通信装置と前記周辺装置の間の通信チャネルが確立していなければ、前記周辺装置で、前記携帯通信装置の送出する無線電波をサーチし、前記携帯通信装置との間で前記通信チャネルの接続を確立した後に前記呼出信号を送信する。
【００１６】
本実施態様によれば、携帯通信装置と周辺装置の間の通信チャネルが確立していない状態で呼び出しが行われると、まず、周辺装置を携帯通信装置の送出する無線電波を検出して通信チャネルを確立し、その後に呼出動作を行う。
本発明の実施態様によれば、呼出信号を受信した携帯通信装置で報知動作を開始するとき、移動体通信網からの着信を禁止し、所在を確認する操作が行われた携帯通信装置で報知動作を終了するとき、移動体通信網からの着信の禁止を解除する。
【００１７】
また、本発明は、携帯通信装置と無線で接続可能な周辺装置であって、
前記携帯通信装置との無線通信を制御する通信制御部と、
前記携帯通信装置を呼び出すための操作を行うためのスイッチと、
前記スイッチが操作されると、所在をユーザに知らせる報知動作を指示する呼出信号を、前記通信制御部を介して前記携帯通信装置に送信し、前記呼出信号を受信して報知動作を開始した前記携帯通信装置から応答信号を受信して、呼出中である旨をユーザに通知し、所在を確認する操作が行われて前記報知動作を終了した前記携帯通信装置から確認信号を受信して、前記呼出中である旨の通知を終了する中央制御部を有している。
【００１８】
また、本発明は、周辺装置と無線で接続可能な携帯通信装置であって、前記携帯通信装置を呼び出すための操作が行われた前記周辺装置から、所在をユーザに知らせる報知動作を指示する呼出信号を受信し、応答信号を報知動作開始時に前記周辺装置に対して送信し、所在の確認が行われた旨を通知する確認信号を前記報知動作終了時に送信する外部インタフェース制御部と、移動体通信網との通信を制御しており、前記外部インタフェース制御部で前記呼出信号を受信すると前記移動体通信網からの着信を禁止し、所在を確認する操作が行われると前記着信の禁止を解除するメイン通信制御部と、着信音の鳴動またはバイブレータの振動を制御しており、前記外部インタフェース制御部で前記呼出信号を受信すると前記報知動作を開始し、所在を確認する操作が行われると前記報知動作を終了する周辺機器制御部を有している。
【００１９】
【発明の実施の形態】
本発明の実施の形態について図面を参照して詳細に説明する。
【００２０】
まず、本発明の一実施形態として、携帯通信装置の一例である携帯電話機１と、その周辺装置の一例である無線電波で携帯電話機１に接続されるハンズフリー装置３の構成について説明する。携帯電話機１とハンズフリー装置３は近距離に置かれて無線電波で相互に通信可能である。
【００２１】
図１を参照すると、携帯電話機１はメイン無線部１１とメイン通信制御部１２と周辺機器制御部１３と外部無線部１４と外部通信制御部１５と外部インタフェース（ＩＦ）制御部１６と中央制御部１７とスピーカ１８とマイク１９とバイブレータ２０と液晶画面２１と発光ダイオード（ＬＥＤ）２２を有している。
【００２２】
メイン無線部１１はアンテナを介して無線電波で移動体通信網の無線基地局（不図示）と信号を送受信する。
【００２３】
メイン通信制御部１２は移動体通信網と制御信号を送受信して通信相手と呼接続し、設定したチャネルで音声信号等を送受信する。
【００２４】
周辺機器制御部１３は、スピーカ８およびマイク９と接続されており、音声のアナログ信号とデジタル信号の間の変換を行う。また、バイブレータ２０、液晶画面２１および発光ダイオード２２と接続されており、固定的あるいは可変的な設定にしたがって発着呼時等にバイブレータ２０の振動、液晶画面２１の表示、発光ダイオード２２の点灯を制御する。
【００２５】
外部無線部１４はアンテナを介して無線電波でハンズフリー装置３と信号を送受信する。
【００２６】
外部通信制御部１５は近距離に置かれたハンズフリー装置３と通信チャネルを確立する。
【００２７】
外部インタフェース制御部１６は外部通信制御部１５を介してハンズフリー装置３と制御信号および音声信号を送受信する。
【００２８】
中央制御部１７は、メイン通信制御部１２、周辺機器制御部１３および外部インタフェース制御部１６を統括し、各部の制御動作を関連させる。例えば、ハンズフリー装置３が携帯電話機１に接続され、ハンズフリー装置３が用いられる場合、中央制御部１４は周辺機器制御部１３にスピーカ１８およびマイク１９の信号を停止するように指示する。これは、ハンズフリー装置３が携帯電話機１と接続されたことで自動的に行ってもよい。また、ハンズフリー装置３から携帯電話機１への呼び出しが行われると、スピーカ１８からの着信音の鳴動、バイブレータ２０の振動、液晶画面２１の表示または発光ダイオード２２の点灯あるいはそれらの組み合わせによって呼び出しを受けた旨をユーザに報知する。それらの組み合わせは変更可能に設定された着信モードにしたがって行われる。
【００２９】
なお、本実施形態ではメイン通信制御部１２、周辺機器制御部１３、中央制御部１４および外部インタフェース制御部１５をそれぞれ機能別に構成したが、これらの全部あるいは一部を組み合わせて一体に構成してもよい。
【００３０】
図２を参照すると、ハンズフリー装置３は無線部３１と通信制御部３２と中央制御部３３とスピーカ３４とマイク３５と呼出スイッチ３６を有している。
【００３１】
無線部３１はアンテナを介して無線電波で携帯電話機１と信号を送受信する。
【００３２】
通信制御部３２は近距離に置かれた携帯電話機１と通信チャネルを確立する。
【００３３】
中央制御部３３は通信制御部３２を介して携帯電話機１３と制御信号および音声信号を送受信する。また、イヤホンのスピーカ３４およびマイク３５と接続されており、音声のアナログ信号とデジタル信号の間の変換を行う。また、呼出スイッチ３６と接続されており、呼出スイッチ３６の押下を検出すると携帯電話機１を呼び出す。
【００３４】
なお、本実施形態では呼出スイッチ３６がハードウェア的な要因で起動されるスイッチである例を示したが、メニュー選択等のソフトウェア的な要因で起動されるスイッチであってもよい。
【００３５】
また、本実施形態では、携帯電話機１とハンズフリー装置３の間の無線インタフェースにおいて時分割多重方式あるいは符号分割多重方式で複数の通信チャネルが利用可能であり、接続状態の管理等の信号は制御用チャネルによって伝送され、音声信号は通信用チャネルによって伝送される。
【００３６】
次に、本実施形態の装置の動作について説明する。
【００３７】
図３は、携帯電話機１とハンズフリー装置３の間で通信チャネルが確立している状態で、ハンズフリー装置３から携帯電話機１を呼び出した場合の動作を示すシーケンス図である。
【００３８】
図３を参照すると、ハンズフリー装置３から携帯電話機１を呼び出すために呼出スイッチ３６が押下されると（ステップ１０１）、ハンズフリー装置３から携帯電話機１に制御用チャネルで呼出信号が通知される。この呼出信号は、着信音の鳴動やバイブレータ２０の振動により所在をユーザに知らせる報知動作を指示するための制御信号である。また、ハンズフリー装置３では、内部で発生させる各種トーンを鳴動できるように、中央制御部３３がスピーカ３４への入力の選択を切り替える（ステップ１０２）。
【００３９】
呼出信号を受信した携帯電話機１では、移動体通信網からの着呼を禁止するためにメイン通信制御部１２の信号経路を遮断する（ステップ１０３）。パスの遮断は、一例として、メイン無線部１１への電源の供給を停止し、メイン通信制御部とメイン無線部１１との間の信号線を閉塞し、メイン通信制御部１２で移動体通信網からのページング信号を破棄することで行われる。
【００４０】
次に、ハンズフリー装置３からの呼び出しに対してスピーカ１８で着信音を鳴動できるように、携帯電話機１はスピーカ１８の入力を選択する（ステップ１０４）。また、携帯電話機１はハンズフリー装置３から呼び出されている旨を液晶画面２１に表示し（ステップ１０５）、予め定められた着信モードの設定にしたがって着信音鳴動、バイブレータ２０の振動、発光ダイオード２２の点滅等を行う（ステップ１０６）。
【００４１】
そして、携帯電話機１は着信動作を開始すると応答信号をハンズフリー装置３に送信する。この応答信号は報知動作を開始した旨を通知するための制御信号である。応答信号を受信したハンズフリー装置３では呼出音（リングバックトーン）が鳴動して（ステップ１０７）、呼出中である旨がユーザに通知される。
【００４２】
なお、呼出中である旨のユーザへの通知は呼出音の他、ハンズフリー装置３に液晶画面を設け、その表示によって行う等も考えられる。
【００４３】
図４は、ハンズフリー装置３からの呼び出しに対して携帯電話機１で確認操作が行われた場合の動作を示すシーケンス図である。
【００４４】
図４を参照すると、ハンズフリー装置３からの呼び出しを受けて、ユーザが、オンフックや何らかのキーを押下するなどの確認操作を行うと（ステップ２０１）、携帯電話機１からハンズフリー装置３に確認信号が通知される。この確認信号は所在の確認が行われた旨を通知するための制御信号である。
【００４５】
確認信号をハンズフリー装置３に送信した携帯電話機１は、メイン通信制御部１２で遮断していた信号経路を復帰させる（ステップ２０２）。また、携帯電話機１は、移動体通信網からの着呼に着信音を鳴動できるようにスピーカ１８の入力の選択を切り替え、移動体通信網からの音声信号がハンズフリー装置３に伝達するように音声信号の経路を切り替える（ステップ２０３）。そして、携帯電話機１は液晶画面２１の呼出表示を終了させ（ステップ２０４）、着信音の鳴動などの着信動作を終了させる（ステップ２０５）。
【００４６】
図５は、携帯電話機１とハンズフリー装置３の間で通信チャネルが確立していない状態で、ハンズフリー装置３から携帯電話機１を呼び出した場合の動作を示すシーケンス図である。
【００４７】
図５を参照すると、ハンズフリー装置３から携帯電話機１を呼び出すために呼出スイッチ３６が押下されると（ステップ３０１）、まず、ハンズフリー装置３で携帯電話機１の送出する無線電波をサーチして検出し（ステップ３０２）、所定の接続処理によってハンズフリー装置３と携帯電話機１の間に通信チャネルを確立する（ステップ３０３）。接続処理の手順は、携帯電話機とハンズフリー装置３の間に用いる無線インタフェースの規定にしたがって行われる。
【００４８】
通信チャネルが確立されると、ハンズフリー装置３から携帯電話機１に呼出信号が通知される。
【００４９】
その後の動作は、図３のステップ１０２からステップ１０７の動作と同じである（ステップ３０４〜３０９）。
【００５０】
本実施形態によれば、無線でハンズフリー装置３と接続された携帯電話機１の所在が判らなくなった場合などに、ハンズフリー装置３の呼出スイッチ３６を押下して携帯電話機１に呼び出しをかけると、無線インタフェースを介して携帯電話機１に呼出信号が通知され、携帯電話機１では予め定められた着信モードの設定にしたがって着信音の鳴動、バイブレータ２０の振動あるいは発光ダイオード２２の点灯で所在をユーザに知らせるための報知を行うので、携帯電話機１の所在位置を容易に確認することができる。
【００５１】
次に、本発明の他の実施形態について説明する。本発明の他の実施形態では、ハンズフリー装置から携帯電話機へ、着信音鳴動またはバイブレータの振動を指定して呼び出すことができる。
【００５２】
図６を参照すると、本発明の他の実施形態のハンズフリー装置４は無線部４１と通信制御部４２と中央制御部４３とスピーカ４４とマイク４５とバイブレータ起動スイッチ４６と着信音鳴動スイッチ４７を有している。
【００５３】
無線部４１、通信制御部４２、スピーカ４４およびマイク４５はそれぞれ図２の無線部３１、通信制御部３２とスピーカ３４およびマイク３５と同じものである。
【００５４】
中央制御部４３にはバイブレータ起動スイッチ４６および着信音鳴動スイッチ４７が接続されており、押下されたスイッチにしたがって呼び出しを報知するように携帯電話機に指示する呼出信号を送信することができる。
【００５５】
図７は、本発明の他の実施形態において、着信音鳴動スイッチ４７が押下された場合の動作を示すシーケンス図である。
【００５６】
図７を参照すると、ハンズフリー装置４から携帯電話機１を呼び出すために着信音鳴動スイッチ４７が押下されると（ステップ４０１）、ハンズフリー装置４から携帯電話機１に着信音の鳴動を指示する呼出信号が通知される。また、ハンズフリー装置４では、内部で発生させる各種トーンを鳴動できるように、中央制御部４３がスピーカ４４への入力の選択を切り替える（ステップ４０２）。
【００５７】
呼出信号を受信した携帯電話機１では、移動体通信網からの着呼を禁止するためにメイン通信制御部１２の信号経路を遮断する（ステップ４０３）。
【００５８】
次に、ハンズフリー装置４からの呼び出しに対してスピーカ１８で着信音を鳴動できるように、携帯電話機１はスピーカ１８の入力を選択する（ステップ４０４）。また、携帯電話機１はハンズフリー装置４から呼び出されている旨を液晶画面２１に表示し（ステップ４０５）、呼出信号による指示にしたがって着信音の鳴動を行う（ステップ４０６）。
【００５９】
そして、携帯電話機１は着信音鳴動を開始すると応答信号をハンズフリー装置４に送信する。応答信号を受信したハンズフリー装置４では呼出音が鳴動する（ステップ４０７）。
【００６０】
図８は、本発明の他の実施形態において、バイブレータ振動スイッチ４６が押下された場合の動作を示すシーケンス図である。
【００６１】
図８を参照すると、ハンズフリー装置４から携帯電話機１を呼び出すためにバイブレータ振動スイッチ４６が押下されると（ステップ５０１）、ハンズフリー装置４から携帯電話機１にバイブレータの振動を指示する呼出信号が通知される。また、ハンズフリー装置４では、内部で発生させる各種トーンを鳴動できるように、中央制御部４３がスピーカ４４への入力の選択を切り替える（ステップ５０２）。
【００６２】
呼出信号を受信した携帯電話機１では、移動体通信網からの着呼を禁止するためにメイン通信制御部１２の信号経路を遮断する（ステップ５０３）。
【００６３】
次に、ハンズフリー装置４からの呼び出しに対してスピーカ１８で着信音を鳴動できるように、携帯電話機１はスピーカ１８の入力を選択する（ステップ５０４）。また、携帯電話機１はハンズフリー装置４から呼び出されている旨を液晶画面２１に表示し（ステップ５０５）、呼出信号による指示にしたがってバイブレータ２０を振動させる（ステップ５０６）。
【００６４】
そして、携帯電話機１は着信音鳴動を開始すると応答信号をハンズフリー装置４に送信する。応答信号を受信したハンズフリー装置４では呼出音が鳴動する（ステップ５０７）。
【００６５】
図６の実施形態によれば、無線でハンズフリー装置４と接続された携帯電話機１の所在が判らなくなった場合などに、ハンズフリー装置４の着信音鳴動スイッチ４６またはバイブレータ振動スイッチ４７を押下して携帯電話機１に呼び出しをかけると、無線インタフェースを介して携帯電話機１に着信音鳴動またはバイブレータ振動の指示を行う呼出信号が通知され、携帯電話機１では指示にしたがって着信音の鳴動またはバイブレータ２０の振動で所在をユーザに知らせるための報知を行うので、そのときの状況に応じた報知動作によって携帯電話機１の所在位置を容易に確認することができる。
【００６６】
【発明の効果】
本発明によれば、携帯通信装置の所在が判らなくなった場合などに、無線で接続された周辺装置を操作して呼び出しをかけると、携帯通信装置が着信音の鳴動、バイブレータの振動あるいは発光ダイオードの点灯などの報知動作を行うので、携帯通信装置の所在位置を容易に確認することができる。
【００６７】
また、実施態様によれば、ユーザの所望により設定された着信モードで報知動作が行われるので、ユーザが所望する報知動作で携帯通信装置の所在位置を確認できる。
【００６８】
また、実施態様によれば、報知動作が着信音の鳴動またはバイブレータの振動の中でユーザが希望する動作で行われるので、そのときの状況に応じた報知動作によって携帯通信装置の所在位置を確認できる。
【００６９】
また、実施態様によれば、携帯通信装置と周辺装置の間の通信チャネルが確立していない状態で呼び出しが行われると、まず、周辺装置を携帯通信装置の送出する無線電波を検出して通信チャネルを確立し、その後に呼出動作を行うので、通信チャネルが確立していない状態でも呼び出しが可能である。
【図面の簡単な説明】
【図１】本発明の一実施形態の携帯電話機の構成を示すブロック図である。
【図２】本実施形態のハンズフリー装置の構成を示すブロック図である。
【図３】本実施形態において携帯電話機とハンズフリー装置の間で通信チャネルが確立している状態で、ハンズフリー装置から携帯電話機を呼び出した場合の動作を示すシーケンス図である。
【図４】本実施形態においてハンズフリー装置からの呼び出しに対して携帯電話機で確認操作が行われた場合の動作を示すシーケンス図である。
【図５】本実施形態のおいて、携帯電話機とハンズフリー装置の間で通信チャネルが確立していない状態で、ハンズフリー装置から携帯電話機を呼び出した場合の動作を示すシーケンス図である。
【図６】本発明の他の実施形態のハンズフリー装置の構成を示すブロック図である。
【図７】本発明の他の実施形態において、着信音鳴動スイッチが押下された場合の動作を示すシーケンス図である。
【図８】本発明の他の実施形態において、バイブレータ振動スイッチが押下された場合の動作を示すシーケンス図である。
【符号の説明】
１    携帯電話機
１１    メイン無線部
１２    メイン通信制御部
１３    周辺機器制御部
１４    中央制御部
１５    外部インタフェース制御部
１６    外部通信制御部
１７    外部無線部
１８    スピーカ
１９    マイク
２０    バイブレータ
２１    液晶画面
２２    発光ダイオード
３    ハンズフリー装置
３１    無線部
３２    通信制御部
３３    中央制御部
３４    スピーカ
３５    マイク
３６    呼出スイッチ
４    ハンズフリー装置
４１    無線部
４２    通信制御部
４３    中央制御部
４４    スピーカ
４５    マイク
４６    着信音鳴動スイッチ
４７    バイブレータ振動スイッチ
１０１〜１０７，２０１〜２０７，３０１〜３０９，４０１〜４０７，５０１〜５０７    ステップ
【図１】
0003599097.tif 000002
【図２】
0003599097.tif 000003
【図３】
0003599097.tif 000004
【図４】
0003599097.tif 000005
【図５】
0003599097.tif 000006
【図６】
0003599097.tif 000007
【図７】
0003599097.tif 000008
【図８】
0003599097.tif 000009